(57)【要約】【課題】紙葉束によりきつく帯を巻きつけて封をするとともに、紙葉束を支持する支持部材にかかる負荷を抑える紙葉束帯封機を提供する。【解決手段】  紙葉束帯封機１００は、紙葉束７を間に挟持する載置側締板２１及び糊付側締板３１と、紙葉束７が載置側締板２１及び糊付側締板３１に挟持された状態で、紙葉束７、載置側締板２１及び糊付側締板３１に帯を巻きつける帯封機構１０とを備え、載置側締板２１は、帯１５と紙葉束７との間に挟まれる位置でかつ、紙葉束７の端部に対向する位置に設けられる立上り部２１ａを有する【選択図】図５
2017056995.tif 000002
【特許請求の範囲】
【請求項１】
紙葉束を間に挟持する第一の支持部材及び第二の支持部材と、
前記紙葉束が前記第一の支持部材及び前記第二の支持部材に挟持された状態で、前記紙葉束、前記第一の支持部材及び前記第二の支持部材に帯を巻きつける帯封機構とを備え、
前記第一の支持部材又は前記第二の支持部材の少なくともいずれか１つは、前記帯と前記紙葉束との間に挟まれる位置でかつ、前記紙葉束の端部に対向する位置に設けられる突出部を有する、紙葉束帯封機。
【請求項２】
前記第一の支持部材又は前記第二の支持部材の少なくともいずれか１つは平板形状をなし、前記突出部は、前記平板形状の一部が前記紙葉束側に傾斜して延びる立上り部から構成される、請求項１に記載の紙葉束帯封機。
【請求項３】
前記立上り部は、前記平板形状の両端部に形成される、請求項２に記載の紙葉束帯封機。
【発明の詳細な説明】
【技術分野】
【０００１】
この発明は、紙葉束帯封機に係るものである。
【背景技術】
【０００２】
銀行等で紙幣のような紙葉類を扱う際、紙葉類を重ねて束にすることで保管や取り扱いが容易となる。例えば、特許文献１の大束帯封機は、小帯で封をされた紙幣１００枚の小束が１０束重ねられた大束に、縦帯と横帯とを交差させるように巻きつけて封をしている。また、特許文献２の紙葉束帯封機でも、紙葉類の束、すなわち紙葉束の両面を一対のクランプ部材で挟持して、横帯と縦帯とを巻きつけて封をしている。
【０００３】
さらに、図１４に示すような従来の紙葉束帯封機３００は、紙葉束３０７に圧縮力を加えて帯を巻きつけるための帯封機構３１０を備える。そして、帯封機構３１０は、図１５に示すような平坦な板状の載置側締板３２１と、載置側締板３２１に対向して配置される糊付側締板３３１とを有する。図１６に示すように紙葉束３０７は、帯封機構３１０の糊付側締板３３１と載置側締板３２１との間に挟持されて、圧縮力Ｐ’を加えられるとともに帯３１５を巻きつけられる。
【先行技術文献】
【特許文献】
【０００４】
【特許文献１】特開２０１０−７６７８５号公報
【特許文献２】特開平８−５８７２３号公報
【発明の概要】
【発明が解決しようとする課題】
【０００５】
ここで、特許文献１の大束帯封機又は特許文献２の紙葉束帯封機のように、束になった紙葉類に帯を巻きつけて封をする時は、重ねられた紙葉類又は小束が動いたりずれたりしないように、より強い緊度で帯を巻きつけて堅く固定したいという要望がある。
なお、緊度とは、紙葉束に帯をきつく縛る度合いをいう。
【０００６】
しかしながら、図１５に示すような平坦な板である載置側締板３２１に載せられた紙葉束３０７に圧縮力Ｐ’をかける場合、図１６に示すように、載置側締板３２１及び糊付側締板３３１に紙葉束３０７が接触する面積が大きく、圧縮力Ｐ’が分散されてしまう。そのため、紙葉束３０７に効率よく圧縮力を働かせて、帯３１５をより堅固に巻きつけることが難しいという問題があった。
【０００７】
この発明は、このような問題を解決するためになされ、紙葉束に効率よく圧縮力を働かせて、より堅固に帯を巻きつけて封をすることができる紙葉束帯封機を提供することを目的とする。
【課題を解決するための手段】
【０００８】
上記の課題を解決するために、この発明に係る紙葉束帯封機は、紙葉束を間に挟持する第一の支持部材及び第二の支持部材と、紙葉束が第一の支持部材及び第二の支持部材に挟持された状態で、紙葉束、第一の支持部材及び第二の支持部材に帯を巻きつける帯封機構とを備え、第一の支持部材又は第二の支持部材の少なくともいずれか１つは、帯と紙葉束との間に挟まれる位置でかつ、紙葉束の端部に対向する位置に設けられる突出部を有する。
これにより、紙葉束の端部に対して集中的に高い圧縮力がかけられている状態で、紙葉束に帯を巻きつけることができる。
【０００９】
また、この発明に係る紙葉束帯封機は、第一の支持部材又は第二の支持部材の少なくともいずれか１つは平板形状をなし、突出部は、平板形状の一部が紙葉束側に傾斜して延びる立上り部から構成されてもよい。
また、立上り部は、平板形状の両端部に形成されてもよい。
【発明の効果】
【００１０】
この発明に係る紙葉束帯封機によれば、紙葉束に効率よく圧縮力を働かせて、より堅固に帯を巻きつけて封をすることができる。
【図面の簡単な説明】
【００１１】
【図１】この発明の実施の形態１に係る紙葉束帯封機の斜視図である。
【図２】図１に示す紙葉束帯封機の帯封機構の載置側締板と、載置側締板の上に載置する紙葉束とを示す模式的な斜視図である。
【図３】図１に示す紙葉束帯封機の帯封機構の載置側締板に紙葉束を載置した状態を示す斜視図である。
【図４】図１に示す紙葉束帯封機の帯封機構の糊付側締板と載置側締板とが紙葉束を圧縮している状態を糊付側から見た様子を示す斜視図である。
【図５】図１に示す紙葉束帯封機の帯封機構の糊付側締板と載置側締板とが紙葉束を圧縮している状態を糊付対向面側から見た様子を示す斜視図である。
【図６】図１に示す紙葉束帯封機の帯封機構が、糊付側締板と載置側締板との間に挟まれた紙葉束を、図４及び５に示す状態から１８０度回転させた状態を示す斜視図である。
【図７】図１に示す紙葉束帯封機の帯封機構によって紙葉束の短手方向に沿って横帯が巻きつけられた状態を示す斜視図である。
【図８】図１に示す紙葉束帯封機の帯封機構において、紙葉束と糊付側締板及び載置側締板に帯が巻きつけられた後、帯を切断する様子を示す斜視図である。
【図９】図１に示す紙葉束帯封機の帯封機構によって紙葉束の短手方向に沿って横帯が巻きつけられた状態を模式的示す断面図である。
【図１０】図１に示す紙葉束帯封機の帯封機構による図３〜８に示す工程によって、紙葉束に帯が巻きつけられ封をされた状態を示す斜視図である。
【図１１】この発明の実施の形態２に係る紙葉束帯封機の帯封機構の糊付側締板と載置側締板とが紙葉束を圧縮している状態を糊付側から見た様子を示す斜視図である。
【図１２】図１１に示す紙葉束帯封機の帯封機構によって紙葉束の短手方向に沿って横帯が巻きつけられた状態を模式的に示す断面図である。
【図１３】この発明の別の実施の形態に係る紙葉束帯封機の載置側締板の形状を示す斜視図である。
【図１４】従来の例に係る紙葉束帯封機の斜視図である。
【図１５】従来の例に係る紙葉束帯封機の載置側締板の形状を示す斜視図である。
【図１６】従来の例に係る紙葉束帯封機の帯封機構によって紙葉束の短手方向に帯が巻きつけられた状態を模式的示す断面図である。
【発明を実施するための形態】
【００１２】
以下、この発明の実施の形態について添付図面に基づいて説明する。
実施の形態１
図１に示すように、紙葉束帯封機１００は、筐体である紙葉束帯封機本体１を有する。紙葉束帯封機本体１の上部には、利用者が操作する側に操作部２が設けられる。ここで、利用者が操作する側、すなわち紙葉束帯封機本体１の上部の操作部２が設けられる側を前方側Ｆとし、前方側Ｆの反対側を後方側Ｂとする。そして、紙葉束帯封機本体１の内部には、前方側Ｆに向かって開放する帯封機構収納部１ａが形成されている。帯封機構収納部１ａには帯封機構１０が収納される。また、帯封機構１０は、互いに対向して配置される載置側締板２１と糊付側締板３１とを有する。載置側締板２１及び糊付側締板３１は、各々、平板形状をなしている。
ここで、載置側締板２１は第一の支持部材を構成し、糊付側締板３１は第二の支持部材を構成する。
【００１３】
さらに、図２に示すように、略長方形状の平板形状をなす載置側締板２１の両端部の各々には、所定の角度で傾斜して延びる立上り部２１ａが形成されている。また、載置側締板２１は、平坦な板形状をなす基台板２２の上に取り付けられ、固定される。ここで、載置側締板２１は、基台板２２を介して帯封機構１０に取り付けられている。そして、図３に示すように、帯封機構１０の載置側締板２１の上、すなわち立上り部２１ａが設けられている面には、略直方体の紙葉束７が、短辺が前方側Ｆに面して配置されるような向きで載置される。なお、紙葉束７は、紙葉が１００枚ずつ重ねられて封をされた小束７ａが１０束重ねられており、予め長手方向に沿って帯１４が巻きつけられている。また、載置側締板２１の幅は紙葉束７の短手方向の幅よりもやや短く、載置側締板２１の立上り部２１ａは紙葉束７の短手方向の両端部７ｂに対応した位置に設けられている（図９参照）。
ここで、図３に示すように、紙葉束７が載置側締板２１に載置されている場合において、上方向側を帯封機構１０の糊付側Ｇとする。
また、載置側締板２１の両端の立上り部２１ａは突出部を構成する。
また、紙葉束７の端部７ｂとは、紙葉束７の外縁よりも内側の一定の幅を持った領域であるものとする（図９参照）。
【００１４】
図４及び５を参照して、帯封機構１０の構造について説明する。
なお、以下の説明において、帯封機構１０の載置側締板２１、糊付側締板３１及び基台板２２を含む部分は、紙葉束支持部１０ａを構成するものとする。また、帯封機構１０において、紙葉束帯封機本体１に固定されるとともに、紙葉束支持部１０ａが回転可能に取り付けられている部分を、固定部１０ｂとする。
【００１５】
図４に示すように、載置側締板２１と糊付側締板３１との間には紙葉束７が挟持され、糊付側締板３１は紙葉束７の面の中央付近を押さえるように配置される。糊付側締板３１の幅は紙葉束７の短辺方向の幅よりも短い。また、帯封機構１０は、糊付側締板３１に隣接して帯保持部材３２を有する。さらに、帯封機構１０の固定部１０ｂには、帯１５を繰り出すための帯繰出出口３３が設けられている。そして、帯繰出出口３３から繰り出された帯１５の端部は、紙葉束７の上面と帯保持部材３２との間に挟まれて保持される。また、図４及び５に示すように、帯封機構１０の固定部１０ｂには可動式のヒータ４１が取り付けられており、このヒータ４１は、紙葉束７の上面の、糊付側締板３１まで移動することができる（図７及び８参照）。また、ヒータ４１に隣接する位置にはカッタ１１が取り付けられ、カッタ１１はヒータ４１と一体的に移動することができる。さらに、帯封機構１０の固定部１０ｂの前方側Ｆの側部には、支点１２ａを中心として回動可能となるようにカットアーム１２が取り付けられている。カットアーム１２の支点１２ａとは反対側の端部には、棒状の帯当接部１２ｂが後方側Ｂに突出して延びて設けられている。
【００１６】
次に、図３〜図１０を参照して、紙葉束７に帯１５を巻きつけて封をする方法について説明する。
まず、図３に示すように、利用者は、紙葉束７を帯封機構１０の載置側締板２１の上に載置する。そして、利用者が紙葉束帯封機本体１の操作部２を操作してスタートボタン（図示せず）を押すと、図４及び５に示すように、帯封機構１０の載置側締板２１と糊付側締板３１とは、互いに近づく方向に移動し、糊付側締板３１と載置側締板２１との間に紙葉束７を挟持する。そしてさらに、帯繰出出口３３からは帯１５が繰り出され、帯１５の端部は帯保持部材３２によって上から押さえられ、紙葉束７の上面に当接する位置に保持される。
【００１７】
次に、図６に示すように、帯封機構１０は、紙葉束７を糊付側締板３１と載置側締板２１との間に保持したままの状態で、紙葉束支持部１０ａを矢印方向に１８０度回転させ、上下を入れ替える。これに伴い、帯１５は帯繰出出口３３から繰り出されつつ、糊付側締板３１及び載置側締板２１の上から紙葉束７に巻き付いていく。
【００１８】
そして、図７に示すように、紙葉束７を図６の状態からさらに１８０度回転させ、元の位置に戻す。この時、帯１５は紙葉束７の短手方向に沿って全周に巻き付いている。そして、糊付側締板３１と帯保持部材３２との間において帯１５が重なりあった部分にはヒータ４１が押し当てられ、帯１５は溶着される。そして次に、図８に示すように、カットアーム１２が支点１２ａを中心として矢印の方向に回動する。そして、ヒータ４１による溶着部分と帯繰出出口３３との間に張られている帯１５を、カットアーム１２の帯当接部１２ｂが上方向に引き上げる。これに伴って、帯１５はカッタ１１の刃に当たり、切断される。
【００１９】
帯封機構１０によってこのような状態で封をされる紙葉束７の両端部７ｂは、図９に示すように、載置側締板２１の両端部の立上り部２１ａに押圧される。従って、帯１５が巻きつけられている紙葉束７の両端部７ｂには、各々、圧縮力Ｐ１が加えられている。すなわち、立上り部２１ａは、帯１５と紙葉束７との間に挟まれる位置でかつ、紙葉束７の短手方向の両端部７ｂに対向する位置に設けられている。
そして、この状態で帯１５によって封をされた紙葉束７を、利用者が前方側Ｆに移動させることで、帯１５と紙葉束７との間に挟まった糊付側締板３１及び載置側締板２１が引き抜かれ、紙葉束７は帯封機構１０から取り外される。
このようにして、短手方向に沿って帯１５が巻きつけられた紙葉束７は、図１０に示すように、長手方向に帯１４が、短手方向に帯１５が、互いに十字型に交差して巻きつけられた状態となる。
【００２０】
以上より、この実施の形態に係る紙葉束帯封機１００では、載置側締板２１の立上り部２１ａが、載置側締板２１に載置される紙葉束７の短手方向の両端部７ｂに対向する位置でかつ、巻きつけられた帯１５と紙葉束７とに挟まれる位置に設けられる。そのため、立上り部２１ａが紙葉束７の両端部７ｂを押圧する。従って、載置側締板２１と糊付側締板３１との間で紙葉束７にかかる圧縮力Ｐ１は分散されず、紙葉束７の両端部７ｂに集中的に圧縮力Ｐ１をかけることができる。これにより、同じ力でも従来の紙葉束帯封機３００に比べてより効率よく紙葉束７の両端部７ｂに圧縮力Ｐ１を働かせて、より堅固に帯１５を巻きつけて封をすることができる。さらに、帯１５を巻きつける際に両端部７ｂが圧縮されている分、紙葉束７の短手方向の全周の長さが短くなる。従って、その分巻き付けられる帯１５の長さも短くなって、帯１５をよりきつく紙葉束７に巻きつけることができる。さらに、載置側締板２１自体にかかる負荷を増やすことなく、帯１５によって紙葉束７をより堅く封をすることができるため、片持ち構造である載置側締板２１の撓みも防止される。
【００２１】
実施の形態２．
この発明の実施の形態２に係る紙葉束帯封機２００の構成を図１１及び１２に示す。なお、以下の説明において、図１〜１０の参照符号と同一の符号は同一又は同様の構成要素であるので、その詳細な説明は省略する。なお、紙葉束帯封機２００は、実施の形態１の紙葉束帯封機１００の帯封機構１０を帯封機構１１０に置き換えたものである。
図１１に示すように、帯封機構１１０は、載置側締板２１に対向して配置される平板形状の糊付側締板１３１を有する。紙葉束７は載置側締板２１と糊付側締板１３１との間に挟持される。ここで、糊付側締板１３１の前方側Ｆから見て右側の端部には、紙葉束７側に所定の角度を持って折り曲がる立上り部１３１ａが形成されている。そして、糊付側締板１３１は紙葉束７の面の中央付近を押さえるように配置されるとともに、糊付側締板１３１の立上り部１３１ａは紙葉束７の端部７ｂに対向している。ここで、糊付側締板１３１の幅は紙葉束７の短辺方向の幅よりも短い。また、帯封機構１１０は、糊付側締板１３１に隣接して帯保持部材１３２を有する。帯保持部材１３２の紙葉束７側の面には、突出部材１３２ａが固定して取り付けられている。そして、突出部材１３２ａは、紙葉束７の端部７ｂに対向して設けられている。
ここで、糊付側締板１３１及び帯保持部材１３２は、第二の支持部材を構成する。さらに、立上り部１３１ａ及び突出部材１３２ａは、突出部を構成する。
【００２２】
図１２に示すように、帯１４，１５で封をされる紙葉束７の端部７ｂは、糊付側締板１３１の立上り部１３１ａ及び帯保持部材１３２の突出部材１３２ａによって押圧される。従って、帯１５が巻きつけられている紙葉束７の両端部７ｂには、各々、載置側締板２１の立上り部２ａから圧縮力Ｐ１が加えられるとともに、糊付側締板１３１の立上り部１３１ａ及び帯保持部材１３２の突出部材１３２ａからも圧縮力Ｐ２が加えられる。すなわち、糊付側締板１３１の立上り部１３１ａ及び帯保持部材１３２の突出部材１３２ａは、帯１５と紙葉束７との間に挟まれる位置でかつ、紙葉束７の短手方向の両端部７ｂに対向する位置に設けられている。
【００２３】
以上より、この実施の形態に係る紙葉束帯封機２００では、糊付側締板１３１の立上り部１３１ａ及び帯保持部材１３２の突出部材１３２ａが、紙葉束７の短手方向の両端部７ｂに対向する位置でかつ、帯１５と紙葉束７とに挟まれる位置に設けられる。そのため、立上り部１３１ａ及び突出部材１３２ａが、各々、紙葉束７の端部７ｂを押圧する。よって、載置側締板２１の立上り部２１ａが紙葉束７の端部７ｂに加える圧縮力Ｐ１に加えて、糊付側締板１３１の立上り部１３１ａ及び帯保持部材１３２の突出部材１３２ａによる圧縮力Ｐ２も紙葉束７の端部７ｂに働くこととなる。従って、帯１５をさらに堅く紙葉束７に巻きつけることができる。
【００２４】
なお、紙葉束帯封機１００又は２００の載置側締板２１は、実施の形態１又は２における形状に限定されず、例えば、図１３に示す載置側締板１２１にように、図２に示す載置側締板２１と基台板２２が一体的に形成され、両端部の各々に立上がり部１２１ａが形成されてもよい。なお、この時、基台板を含む載置側締板１２１は第一の支持部材を構成する。
さらに、平坦な形状の載置側締板の両端部に、突出部として細長い形状の板部材を貼り付けてもよい。
【００２５】
また、実施の形態２の紙葉束帯封機２００では、載置側締板２１と糊付側締板３１との両方に突出部としての立上り部２１ａ，１３１ａが設けられているが、糊付側締板３１のみに立上り部１３１ａが形成されていてもよい。
【符号の説明】
【００２６】
７  紙葉束、１０  帯封機構、１５  帯、２１，１２１  載置側締板（第一の支持部材）、３１，１３１  糊付側締板（第二の支持部材）、１３２  帯保持部材（第二の支持部材）、２１ａ，３１ａ，１２１ａ，１３１ａ  立上り部（突出部）、１３２ａ  突出部材（突出部）、１００，２００  紙葉束帯封機。
【図１】
2017056995.tif 000003
【図２】
2017056995.tif 000004
【図３】
2017056995.tif 000005
【図４】
2017056995.tif 000006
【図５】
2017056995.tif 000007
【図６】
2017056995.tif 000008
【図７】
2017056995.tif 000009
【図８】
2017056995.tif 000010
【図９】
2017056995.tif 000011
【図１０】
2017056995.tif 000012
【図１１】
2017056995.tif 000013
【図１２】
2017056995.tif 000014
【図１３】
2017056995.tif 000015
【図１４】
2017056995.tif 000016
【図１５】
2017056995.tif 000017
【図１６】
2017056995.tif 000018